(57)【特許請求の範囲】
【請求項１】
所定形状の氷を自動的に作る製氷機構部の下方に、扉によって開閉される氷取出口を前方に有して前記製氷機構部から落下供給される氷を貯える貯氷庫を備えてなる貯氷庫付き製氷機において、前記製氷機構部の最下部に配設される構成部材の下面に前後方向に延びるレール部を設け、氷をすくい取るためのスコップを着脱自在に収納可能なホルダを前記レール部に前方より抜き差し可能に組付けるようにしたことを特徴とする貯氷庫付き製氷機のスコップ収納機構。
【請求項２】
前記ホルダを底壁と側壁と後壁を有して前方に前記スコップが挿通可能な開口を有する樹脂成形品とし、各壁には少なくとも氷が通過可能な落下口を設けたことを特徴とする請求項１記載の貯氷庫付き製氷機のスコップ収納機構。
【請求項３】
前記ホルダの底壁の下面に複数の突起を形成して、同ホルダを単独で適宜な載置面に載置した状態にて前記突起が脚部となって同ホルダに前記スコップを載置面に触れることなく着脱自在に収納可能にしたことを特徴とする請求項２に記載の貯氷庫付き製氷機のスコップ収納機構。
【発明の詳細な説明】
【０００１】
【発明の属する技術分野】
本発明は、所定形状の氷を自動的に作る製氷機構部の下方に、扉によって開閉される氷取出口を前方に有して前記製氷機構部から落下供給される氷を貯える貯氷庫を備えてなる貯氷庫付き製氷機のスコップ収納機構に関する。
【０００２】
【従来の技術】
この種のスコップ収納機構は、例えば実公平２−４５７３９号公報に示されていて、この公報に示されているスコップ収納機構においては、氷をすくい取るためのスコップを着脱自在に収納可能な収納部材が丸棒を折曲形成したものであり、この収納部材がその前後の横材の軸端部にて、製氷機構部の最下部に配設される構成部材（噴水式自動製氷機の排水皿、または流下式自動製氷機の製氷用水タンク）の下面に固定した４個の逆Ｌ型形状の取付部材に設けた通孔に脱着自在に取付けられている。
【０００３】
【発明が解決しようとする課題】
上記した公報に示されているスコップ収納機構は種々な利点を有しているものの、収納部材の脱着性が悪く改善の余地がある。また、収納部材は単独で載置面（例えば、当該製氷機の天板上面）に載置した状態で使用することを考慮しておらず、収納部材を単独で載置面に載置した状態で同収納部材にスコップを収納すると、スコップが載置面に触れて不衛生である。
【０００４】
【課題を解決するための手段】
本発明は、上記した問題に対処すべくなされたものであり、所定形状の氷を自動的に作る製氷機構部の下方に、扉によって開閉される氷取出口を前方に有して前記製氷機構部から落下供給される氷を貯える貯氷庫を備えてなる貯氷庫付き製氷機において、前記製氷機構部の最下部に配設される構成部材の下面に前後方向に延びるレール部を設け、氷をすくい取るためのスコップを着脱自在に収納可能なホルダを前記レール部に前方より抜き差し可能に組付けるようにした。この場合において、前記ホルダを底壁と側壁と後壁を有して前方に前記スコップが挿通可能な開口を有する樹脂成形品とし、各壁には少なくとも氷が通過可能な落下口を設けること、或いは前記ホルダを単独で載置面に載置した状態でも同ホルダに前記スコップを載置面に触れることなく着脱自在に収納可能とすることが望ましい。
【０００５】
【発明の作用・効果】
本発明による貯氷庫付き製氷機のスコップ収納機構においては、製氷機構部の最下部に配設される構成部材の下面に設けた前後方向に延びるレール部に、スコップを着脱自在に収納可能なホルダを前方より抜き差し可能に組付けるようにしたものであるため、ホルダは手でもって単に前方へ引き出すだけで容易に取り外すことができるとともに、手でもって単に後方へ押し込むだけで容易に取付けることができ、ホルダの脱着性は極めてよい。
【０００６】
また、前記ホルダを底壁と側壁と後壁を有して前方に前記スコップが挿通可能な開口を有する樹脂成形品とし、各壁には少なくとも氷が通過可能な落下口を設けた場合には、ホルダを適度な剛性を確保しながら安価に製作することができるとともに、ホルダ内に入った氷及び融氷水を落下口から貯氷庫に落下させることができ、スコップの出し入れを氷に邪魔されることなく容易に行うことができる。また、ホルダの後壁をスコップのストッパとして機能させることがてきて、スコップをホルダの最適位置に収納させることができる。
【０００７】
本発明の実施にあたって、前記ホルダの底壁の下面に複数の突起を形成して、同ホルダを単独で適宜な載置面に載置した状態にて前記突起が脚部となって同ホルダに前記スコップを載置面に触れることなく着脱自在に収納可能にした場合には、ホルダを単独で載置面に載置した状態でも使用することができ、この使用に際してもホルダにスコップを載置面に触れることなく収納することができ、衛生的に使用することができる。
【０００８】
【発明の実施の形態】
以下に、本発明の一実施形態を図面に基づいて説明する。図１に示した製氷機は、所定形状の氷（角氷）Ｃを自動的に作る周知の噴水式製氷機構部Ａの下方に、扉１１（図８参照）によって開閉される氷取出口１２を前方に有して製氷機構部Ａから落下供給される氷Ｃを貯える周知の貯氷庫Ｂを備えていて、この貯氷庫Ｂの上方余剰空間に本発明によるスコップ収納機構Ｄが設けられている。なお、周知の噴水式製氷機構部Ａ及び貯氷庫Ｂの詳細な説明は省略する。
【０００９】
スコップ収納機構Ｄは、氷をすくい取るためのスコップＥを前方から着脱自在に収納するためのものであり、図１〜図３にて示したように、ブラケット２１とホルダ２２によって構成されている。ブラケット２１は、樹脂成形品であり、製氷機構部Ａの最下部に配設される排水皿１３の底部に下方に向けて開口する凹所を設けて形成した水平な下面１３ａ（図３及び図６に詳細に示されていて、ブラケット２１の位置決め機能も有している）に接着剤により取付けられていて、前後方向に延びる左右一対のレール部２１ａ，２１ｂを有している。各レール部２１ａ，２１ｂは、断面形状がコ字状（対向側が開口している）で前端が排水皿１３の下端より下方にて前方に開放しかつ後端が閉塞しており、下面の所定箇所には矩形の係止孔２１ｃ，２１ｄがそれぞれ形成されている。なお、レール部２１ａ，２１ｂの前端開口上面は図示のごとく排水皿１３の下端面と一致しているのが望ましく、かかる構成ではホルダ２２を排水皿１３の下端面に滑らせてブラケット２１のレール部２１ａ，２１ｂに容易に組付けることができる。
【００１０】
ホルダ２２は、図１〜図７にて示したように、底壁２２ａと左右の側壁２２ｂ，２２ｃと後壁２２ｄを有して前方にスコップＥが挿通可能な開口を有する樹脂成形品であり、各壁には所定形状（少なくとも氷Ｃが通過可能な形状）の落下口２２ｅ，２２ｆ，２２ｇが設けられている。また、左右の側壁２２ｂ，２２ｃ上端には、水平方向に延びるフランジ２２ｈ，２２ｉがそれぞれ形成されていて、各フランジ２２ｈ，２２ｉにてブラケット２１の各レール部２１ａ，２１ｂに前方より抜き差し可能に組付けられるようになっている。また各フランジ２２ｈ，２２ｉの下面所定位置には係合突起２２ｊ，２２ｋが形成されていて、これら各係合突起２２ｊ，２２ｋが各レール部２１ａ，２１ｂの係止孔２１ｃ，２１ｄに係合することによりホルダ２２が所定の位置に位置決め固定されるようになっている。なお、各係合突起２２ｊ，２２ｋはホルダ２２のブラケット２１に対する挿入時の抵抗が引き出し時の抵抗より小さくなる形状とされていて、そのときには各レール部２１ａ，２１ｂが各係止孔２１ｃ，２１ｄによって押し広げられて弾性変形するようになっている。
【００１１】
また、底壁２２ａの下面には４個の突起２２ａ１〜２２ａ４が形成されていて、ホルダ２２が単独で例えば図８に示したように天板１４の上面に載置した状態にて各突起２２ａ１〜２２ａ４が脚部となるようになっている。なお、各突起２２ａ１〜２２ａ４の下端に吸盤を設けて実施することも可能である。また、後壁２２ｄの下部が前方に傾斜した形状に形成されていて、図６に示したように、氷Ｃの収容容積の確保と氷Ｃの取出時における氷Ｃの前方への落下が図られるとともに、図７に示したように、スコップＥが天地逆でも収納可能となっている。また、各フランジ２２ｈ，２２ｉの後端部が先細形状とされていて、各フランジ２２ｈ，２２ｉの各レール部２１ａ，２１ｂへの挿入が容易とされている。
【００１２】
上記のように構成したスコップ収納機構Ｄにおいては、製氷機構部Ａの最下部に配設される排水皿１３の下面１３ａに取付けたブラケット２１の前後方向に延びる各レール部２１ａ，２１ｂに、スコップＥを着脱自在に収納可能なホルダ２２を前方より抜き差し可能に組付けるようにしたものであるため、ホルダ２２は手でもって単に前方へ引き出すだけで容易に取り外すことができるとともに、手でもって単に後方へ押し込むだけで容易に取付けることができ、ホルダ２２の脱着性は極めてよい。
【００１３】
また、ホルダ２２は、底壁２２ａと側壁２２ｂ，２２ｃと後壁２２ｄを有して前方にスコップＥが挿通可能な開口を有する樹脂成形品であり、各壁には所定形状の落下口２２ｅ，２２ｆ，２２ｇが設けられているため、ホルダ２２を適度な剛性を確保しながら安価に製作することができるとともに、ホルダ２２内に入った氷Ｃ及び融氷水を落下口２２ｅ，２２ｆ，２２ｇから貯氷庫Ｂに落下させることができ、スコップＥの出し入れを氷に邪魔されることなく容易に行うことができる。また、ホルダ２２の後壁２２ｄをスコップＥのストッパとして機能させることがてきて、スコップＥをホルダ２２の最適位置に収納させることができる。更に、ホルダ２２は、図８に例示したように、単独で天板１４の上面に載置した状態でも、スコップＥを天板１４の上面（載置面）に触れることなく着脱自在に収納可能であるため、かかる使用に際してもホルダ２２にスコップＥを載置面に触れることなく収納することができ、衛生的に使用することができる。
【００１４】
図１〜図８に示した上記実施形態においては、スコップＥがホルダ２２の底壁２２ａ上に図７に示したように載置収納されるようにしたが、図９及び図１０に示したようにホルダ１２２を形成すれば、ホルダ１２２の底壁１２２ａに形成した落下口１２２ｅにスコップＥの一部を落とし込んで係合させることができ、これによってスコップＥの取っ手Ｅａと排水皿１３間に手を入れるのに十分な空間を確保することができる。
【００１５】
上記実施形態においては、排水皿１３に取付けられるブラケット２１にレール部２１ａ，２１ｂを設けて本発明を実施したが、樹脂成形品の排水皿自体にレール部を一体的に形成して本発明を実施することも可能である。
【図面の簡単な説明】
【図１】  本発明の一実施形態を概略的に示す要部斜視図である。
【図２】  図１に示したスコップ収納機構でホルダとスコップをそれぞれ所定量引き出した状態の斜視図である。
【図３】  図１に示した排水皿、ブラケット、ホルダの関係を示す縦断側面図である。
【図４】  図１に示したホルダの斜め下方から見た斜視図である。
【図５】  図１に示したホルダの斜め上方から見た斜視図である。
【図６】  図１に示した排水皿と貯氷庫とスコップ収納機構の関係を示す縦断側面図である。
【図７】  図１に示したホルダとスコップの関係を示す縦断側面図である。
【図８】  図１に示したホルダを単独で天板の上面に載置して使用した場合の斜視図である。
【図９】  ホルダの他の実施形態を示す縦断側面図である。
【図１０】  図９に示したホルダの斜め上方から見た斜視図である。
【符号の説明】
１１…扉、１２…氷取出口、１３…排水皿（製氷機構部の最下部に配設される構成部材）、１３ａ…下面、１４…天板、２１…ブラケット、２１ａ，２１ｂ…レール部、２２…ホルダ、２２ａ…底壁、２２ｂ，２２ｃ…側壁、２２ｄ…後壁、２２ｅ，２２ｆ，２２ｇ…落下口、Ａ…製氷機構部、Ｂ…貯氷庫、Ｃ…氷、Ｄ…スコップ収納機構、Ｅ…スコップ。
【図１】
0003828607.tif 000002
【図２】
0003828607.tif 000003
【図３】
0003828607.tif 000004
【図４】
0003828607.tif 000005
【図５】
0003828607.tif 000006
【図６】
0003828607.tif 000007
【図７】
0003828607.tif 000008
【図８】
0003828607.tif 000009
【図９】
0003828607.tif 000010
【図１０】
0003828607.tif 000011